(57)【要約】【課題】陰圧及び密着機能を有する手動式マッサージ装置を提供すること。【解決手段】本発明は、マッサージ装置において、陰圧により皮膚表面に密着してスライドするローラーがヘッド部のチェンバー内で収縮及び弛緩の動作と昇降の動作を柔軟に行い、柔らかい皮膚触りを付与しながら動作するようにして、マッサージ機能を向上させるようにした構成の陰圧及び密着機能を有する手動式マッサージ装置を提供する。【選択図】図３
2008513093.tif 000002
【特許請求の範囲】
【請求項１】
陰圧及び密着機能を有する手動式マッサージ装置（Ａ）であって、
複数のローラー（１５、１５’）の軸（１８、１８’）が、複数のブッシング（１９、１９’）を用いて弓形の案内路（１７、１７’）に係合されており、
前記弓形の案内路（１７、１７’）が、ヘッド部（１０）のチャンバー（１４）にある複数の壁部（１６、１６’）に形成されており、
前記ヘッド部（１０）が、管路口部（１２）に嵌合突条（１３）を有し、前記嵌合突条（１３）を介して管路（１１）に接続されており、
前記複数のローラー（１５、１５’）が、前記チャンバー（１４）内に互いに対称的に配置されており、
複数のテーパー（２０、２０’）を有して、前記複数の壁部（１６、１６’）から外側に突出する前記複数の軸（１８、１８’）により支持される複数の昇降片（ａ，ｂ）が、前記複数の壁部（１６、１６’）の外側面に形成された複数の外側突起（２２、２２’）と長孔（２１、２１’）とを介して係合されており、
各前記昇降片（ａ，ｂ）の両端が、スプリング（２３、２３’）に載置され、複数のカバー（２４、２４’）により形成される複数の空間部（２５、２５’）の内部に設置されていることを特徴とする、陰圧及び密着機能を有する手動式マッサージ装置。
【請求項２】
前記チェンバー（１４）内の天井面（１４’）は、管路口部（１２）の方向に傾斜して形成されることを特徴とする、請求項１に記載の陰圧及び密着機能を有する手動式マッサージ装置。
【請求項３】
前記チェンバー（１４）の前記複数の壁部（１６、１６’）には、ローラー（１５、１５’）の両側面との密着性を向上させるために、その内壁面（２６、２６’）に気密維持部（２７、２７’）が形成されることを特徴とする、請求項１に記載の陰圧及び密着機能を有する手動式マッサージ装置。
【発明の詳細な説明】
【技術分野】
【０００１】
本発明は、陰圧（Ａｉｒ  Ｖａｃｕｕｍ）と密着性とを非常に向上させることが可能な手動式マッサージ装置に係り、より詳しくは、皮膚表面に相応するようにプログラム（Ｐｒｏｇｒａｍ）化された陰圧により、脂肪細胞と皮膚表面とに対して収縮及び弛緩などの作用を与えることによって物理的ストレッチング（Ｓｔｒｅｔｃｈｉｎｇ）作用を繰り返させ、脂肪の自然消滅に役立てることができる。また、皮膚の弾力纎維に刺激を与えることで皮膚表面の活性化及び弾力増加を図ることが可能な陰圧及び密着機能を有する手動式マッサージ装置に関するものである。
【背景技術】
【０００２】
一般的なマッサージ装置は、皮膚表面を活性化させて弾力を付与すると共に、脂肪細胞と皮膚表面とに対して収縮及び弛緩等の物理的作用を加えて脂肪細胞を壊滅させ、それらを自然に消滅させるように構成されている。また、多くのマッサージ装置は、陰圧を供給するための管路が連結されたヘッド部を有し、それに結合されるチェンバー（Ｃｈａｍｂｅｒ）内に互いに対称的に配置される２個のローラーが設けられており、管路を通じて供給される陰圧によって皮膚表面に接触した２個のローラーがスライドしながら、脂肪細胞や皮膚表面に対して収縮及び弛緩作用を与えるために殴打を繰り返し行うことでマッサージ機能を実現している。
【発明の開示】
【発明が解決しようとする課題】
【０００３】
しかし、上記のマッサージ装置は、２個のローラーの回転軸の動作を案内するための溝が動作面に対して水平に形成されており、さらに、これに装着されたスプリングによってローラーがほぼ水平に動作する構造になっており、凸凹な皮膚表面に対してマッサージを行う場合に、ローラーの昇降動作が制限又は不可能なため、結局、陰圧が十分に作用せず、また、密着性が弱化することによってマッサージの効果が十分に発揮できないという問題点があった。
【０００４】
特に、ローラーがスライドして収縮及び弛緩動作をするとき、チェンバーの内壁面に密着したローラーの両側面部の間に微細な間隙が維持されるため、陰圧によるローラーの収縮作用を一層難しくしている。
【０００５】
そこで、本発明は、上記問題に鑑みてなされたものであり、本発明の目的とするところは、凸凹な皮膚表面に沿って接触して弛緩及び収縮の動作を行うためのローラーをチェンバーの壁部に形成された弓形の案内路と管路口部に向かって傾斜するように形成されたチェンバーの天井面とにより上下方向にも昇降の動作を行うように構成して、陰圧と密着機能を向上することが可能な、新規かつ改良されたマッサージ装置を提供することにある。
【０００６】
また、本発明のさらに他の目的は、チェンバー内で収縮及び弛緩の動作を行うローラーとチェンバーの内壁面間の微細な間隙を除去して、陰圧によりローラーの収縮及び弛緩の動作を正確に行うことにある。
【課題を解決するための手段】
【０００７】
本発明は、上記の目的を達成するため、皮膚表面と接触し、管路を通じて供給される陰圧によってマッサージ機能を実現するマッサージ装置において、前記管路に連結されたヘッド部に設けられた互いに対称的に配置される２個のローラーが、チェンバー内の壁部に形成された弓形の案内路に取り付けられたローラー軸に沿って案内されることを特徴とする。
【０００８】
前記壁部の案内路と突出したローラー軸とが係合することにより支持され、テーパー（Ｔａｐｅｒ）状の部分を有する昇降片の両端にスプリングが装着され、長孔に挿入された突起によってローラーが収縮及び弛緩の動作を行うと共に昇降の動作を行って、皮膚表面と接触する際に柔らかい皮膚触りを実現する。
【０００９】
一方、チェンバー内のローラーが管路を通じて供給される陰圧により収縮の動作を行うとき、前記ローラーの両側がチェンバーの内壁面との間で気密性を維持するように、ローラーが接触する内壁面に気密維持部を形成して、陰圧を強化することにより、ローラーが収縮動作をするとき、陰圧の漏れを防止することが可能になり、マッサージ機能を向上させることができる。本発明は、例えば、上記のような陰圧及び密着機能を有する手動式マッサージ装置を提供することができる。
【発明の効果】
【００１０】
以上説明したように本発明によれば、凸凹な皮膚表面の形状に応じて的確に密着する機能を有し、接触したマッサージ装置のローラーが皮膚表面や脂肪細胞の収縮及び弛緩の動作を行いながら昇降動作が可能であり、陰圧作用によるマッサージ効果を高めることができるだけでなく、その構造が比較的簡単であるため、組立や分解を容易にして生産能率を向上させる効果も得られる。
【発明を実施するための最良の形態】
【００１１】
以下に添付図面を参照しながら、本発明の好適な実施形態について詳細に説明する。
【００１２】
図１は、管路１１を一部省略しているが、本発明に係るマッサージ装置Ａのヘッド部１０を示す斜視図である。図２は、管路１１とヘッド部１０との連結構成を示す断面図である。図３及び図４は、ヘッド部１０が分解された状態での構成を示す斜視図及び組立例示図を示す。
【００１３】
図３を参照しながら、本実施形態に係るヘッド部１０の構成について説明する。図３を参照すると、ヘッド部１０の管路口部１２には、嵌合突条１３が形成されており、嵌合突条１３に対して管路１１が強く嵌合されている。
【００１４】
前記ヘッド部１０のチェンバー１４の内部には、実質的に同一構成を有するローラー１５、１５’が互いに対称な関係を成すように収容されている。また、チェンバー１４の壁部１６、１６’に凹設（凹状に形成）された弓形の案内路１７、１７’に、それぞれのローラー軸１８、１８’がブッシング（Ｂｕｓｈｉｎｇ；管継手）１９、１９’と共に案内される。
【００１５】
さらに、前記の案内路１７、１７’を介して壁部１６、１６’の外側方向に突出した前記ローラー軸１８、１８’には、両側がテーパー２０、２０’に形成され、その中央の長孔２１、２１’が壁部１６、１６’の外側突起２２、２２’に結合され、その両端に装着されたスプリング２３、２３’によって昇降片ａ、ｂが有するテーパー２０、２０’（テーパー状の部分）が支持され、壁部１６、１６’にカバー２４、２４’が組み立てられる空間部２５、２５’設けられる。
【００１６】
一方、前記のローラー１５、１５’が設けられたチェンバー１４内部の天井面１４’は、ローラー１５、１５’のスライドによる収縮及び弛緩の動作と昇降の動作とが円滑に行えるように斜めに形成されている。さらに、前記壁部１６、１６’の内壁面２６、２６’には、ローラー１５、１５’が気密を維持する状態で収縮及び弛緩動作をできるように、気密維持部２７、２７’が形成されている。
【００１７】
図３の符号２８、２８’は、案内路１７、１７’に収容されるカバー突起である。符号２９、２９’は、スプリング２３、２３’の装着突起である。符号３０、３０’は、スプリング２３、２３’の離脱防止突起である。また、図１に示すように、ＳＷは、取っ手Ｂに設けられたスイッチを示す。
【００１８】
ここで、図５及び図６を参照しながら、本実施形態に係る上記の構成により得られる作用について説明する。
【００１９】
図５及び図６は、マッサージ装置Ａの動作状態を示す側面図である。図５は、ヘッド部１０に備えられたローラー１５、１５’が皮膚表面（図示せず）に接触する前の状態（つまり、動作前の状態）を示している。このとき、ヘッド部１０の管路口部１２に嵌合突条１３を介して連結された管路１１により得られる陰圧作用は、取っ手ＢのスイッチＳＷが“オフ”の状態であり、ローラー１５、１５’による収縮及び弛緩の動作が行われておらず、収縮及び弛緩の作用・効果が得られない。
【００２０】
このとき、マッサージを実施するため、マッサージ装置Ａのヘッド部１０に備えられたローラー１５、１５’を皮膚表面に接触させ、取っ手ＢのスイッチＳＷを”オン”にすると、管路１１により陰圧作用が得られる。そのため、ヘッド部１０のチェンバー１４の内部は、管路口部１２及び管路１１を通じて作用する陰圧により、皮膚表面に緊密に接触してスライドする前記ローラー１５、１５’の軸１８、１８’が、チェンバー１４の壁部１６、１６’に形成された弓形の案内路１７、１７’に沿って互いに収縮及び弛緩する。それと共に、凸凹な皮膚表面では、前記ローラー１５、１５’が上下に弾力的に昇降することにより、ローラー１５、１５’と皮膚表面との密着性が損なわれることがないため、マッサージ効果を一層向上させることができる。
【００２１】
すなわち、ローラー軸１８、１８’は、チェンバー１４の内部の天井面１４’が管路口部１２に傾いて形成され（図２参照）、壁部１６、１６’の案内路１７、１７’を通じてブッシング１９、１９’と共に案内される。そして、外側の方向に突出したローラー軸１８、１８’は、両側がテーパー２０、２０’の形状に形成され、中央の長孔２１、２１’が壁部１６、１６’の外側突起２２、２２’に結合される。さらに、その両端に装着されたスプリング２３、２３’を有する昇降片ａ、ｂによって、ローラー軸１８、１８’が弓形の案内路１７、１７’に沿って収縮する。そのとき、壁部１６、１６’の外側でテーパー２０、２０’に支持される昇降片ａ、ｂがスプリング２３、２３’の収縮作用により、長孔２１、２１’に結合された突起２２、２２’に対して上昇する。反対に、下降において、皮膚表面の凹部でローラー１５、１５’が、スプリング２３、２３’の伸張によって下降する昇降片ａ、ｂの加圧力により、テーパー２０、２０’に支持されたローラー軸１８、１８’が弓形の案内路１７、１７’に沿って下降する。それと共に弛緩作用するものである。
【００２２】
このように、本発明のマッサージ装置Ａは、ローラー１５、１５’が皮膚表面に接触してスライドしながらマッサージを行うとき、皮膚表面の形状に関わらず、ローラー１５、１５’の収縮及び弛緩の動作と昇降の動作とが柔軟に行われるので、マッサージ機能を効率的に達成することができる。
【００２３】
そして、前記ローラー軸１８、１８’は、ブッシング１９、１９’が嵌め合わせられたままで案内路１７、１７’に沿って案内されるように構成される。そのため、ローラー１５、１５’の収縮及び弛緩の作用をより滑らかにすることが可能になると同時にローラー１５、１５’と接触する皮膚の触感を向上させることができる。
【００２４】
一方、前記の昇降片ａ、ｂは、ヘッド部１０の外観を美麗にするため、チェンバー１４の壁部１６、１６’の外側にカバー２４、２４’が組み立てられることにより形成される空間部２５、２５’内に備えられ、カバー突起２８、２８’によって、案内路１７、１７’が外部に露出することを防止する。それとともに、前記チェンバー１４の壁部１６、１６’の内壁面２６、２６’には、ローラー１５、１５’が収縮及び弛緩の動作を行うとき、陰圧の漏れを防止するため、気密維持部２７、２７’が備えられる。そのことにより、ローラー１５、１５’の両面と内壁面２６、２６’間の気密性を高めることが可能になり、陰圧発生の機能をより効果的に得ることができるマッサージ装置が提供される。
【００２５】
つまり、複数のローラー１５、１５’の軸１８、１８’は、複数のブッシング１９、１９’を用いて弓形の案内路１７、１７’に係合されている。また、弓形の案内路１７、１７’は、ヘッド部１０のチャンバー１４にある複数の壁部１６、１６’に形成されている。また、ヘッド部１０は、管路口部１２に嵌合突条１３を有し、嵌合突条１３を介して管路１１に接続されている。また、複数のローラー１５、１５’は、チャンバー１４内に互いに対称的に配置されており、複数のテーパー２０、２０’を有する。また、複数の壁部１６、１６’から外側に突出する複数の軸１８、１８’により支持される複数の昇降片ａ，ｂは、複数の壁部１６、１６’の外側面に形成された複数の外側突起２２、２２’と長孔２１、２１’とを介して係合されている。
【００２６】
また、各昇降片ａ，ｂの両端は、スプリング２３、２３’に載置され、複数のカバー２４、２４’により形成される複数の空間部２５、２５’の内部に設置されている。また、チェンバー１４内の天井面１４’は、管路口部１２の方向に傾斜して形成されている。チェンバー１４の複数の壁部１６、１６’には、ローラー１５、１５’の両側面との密着性を向上させるために、その内壁面２６、２６’に気密維持部２７、２７’が形成されている。
【００２７】
以上、本発明を特定の実施例に基づいて図示し説明したが、添付する特許請求範囲によって決められる本発明の思想及び領域から逸脱しない範囲内で多様な改造及び変化が可能であることは当業者に明らかなものであろう。
【００２８】
本発明は、マッサージ装置の構成において、管路に連結されたヘッド部のチェンバー内部に互いに対称に設けられた２個のローラー（例えば、アセタール素材からなる）が皮膚表面に接触して収縮及び弛緩の動作を行う。そのとき、凸凹な皮膚表面の形状に沿ってローラーがスライドして収縮及び弛緩の動作を行うと共に昇降の動作を行う機能を実現する。その機能を実現する構成として、チェンバー内の天井面を斜めに形成し、チェンバーの壁部に形成された案内路を通じて案内されて突出するように形成されるローラー軸の各々は、両側にテーパーを有する昇降片のテーパーに支持されるように構成され、その両端にスプリングが装着されているため、長孔に結合された突起に対してローラーが収縮及び弛緩の動作をしながら昇降の動作を行うことが可能に構成されている。そして、前記ローラーの両側がチェンバー内で収縮及び弛緩の動作を行うとき、チェンバーの内壁面との陰圧による気密性を維持するため、気密維持部をチェンバーの内壁面に備える構成を有する。上記実施形態に具体的に示した通り、本発明は、上記の特徴を備えた陰圧及び密着機能を有する手動式マッサージ装置を提供する。
【００２９】
以上説明した構成によると、本発明に係る技術的特徴は、凸凹な皮膚表面の形状に沿って正確に密着する機能を有し、接触したマッサージ装置のローラーが収縮及び弛緩の動作を行いながら昇降の動作を行うことにより、陰圧作用によるマッサージ効果を高め、さらに器機構造の簡素化により組立分解を容易にして生産能率を向上させるマッサージ装置に利用可能である。
【図面の簡単な説明】
【００３０】
【図１】本発明の第１の実施形態にかかる    を示す断面図である。
【図２】同実施形態にかかる
【図３】本発明の第２の実施形態にかかる
【図４】従来の
【図１】本発明の一実施形態に係るマッサージ装置の斜視図である。
【図２】同実施形態に係るマッサージ装置のヘッド部と管路の連結状態を示す断面図である。
【図３】同実施形態に係るヘッド部の構成を示す分解斜視図である。
【図４】同実施形態に係るヘッド部の組立状態を示す例示図である。
【図５】同実施形態の動作状態を示す組立側面図であり、動作前の状態を示す側面図である。
【図６】同実施形態の動作状態を示す組立側面図であり、動作時の状態を示す側面図である。
【符号の説明】
【００３１】
Ａ    マッサージ装置
１０    ヘッド部
１１    管路
１２    管路口部
１３    嵌合突条
１４    チェンバー
１４’    天井面
１５、１５’    ローラー
１６、１６’    壁部
１７、１７’    案内路
１８、１８’    ローラー軸
１９、１９’    ブッシング
２０、２０’    テーパー
２１、２１’    長孔
２２、２２’    外側突起
２３、２３’    スプリング
２４、２４’    カバー
２５、２５’    空間部
２６、２６’    内壁面
２７、２７’    気密維持部
ａ、ｂ    昇降片
【図１】
2008513093.tif 000003
【図２】
2008513093.tif 000004
【図３】
2008513093.tif 000005
【図４】
2008513093.tif 000006
【図５】
2008513093.tif 000007
【図６】
2008513093.tif 000008
【国際調査報告】
2008513093.tif 000009
2008513093.tif 000010